(57)【特許請求の範囲】
【請求項１】
回転可能な操作部の回転に応じて再生速度を制御する再生速度制御装置であって、
前記操作部の回転速度を検出する回転速度検出部と、
前記回転速度検出部によって検出された回転速度に応じて再生速度を制御する制御部と、を含み、
前記制御部は、前記回転速度検出部が所定の期間内に同一方向への急加速と緩やかな減衰とからなる反復パターンを検出すると、前記再生速度を増加し、前記回転速度検出部が所定の期間内に前記同一方向への急加速と緩やかな減衰とからなる反復パターンを検出しなくなると、前記再生速度を通常の再生速度に戻す、再生速度制御装置。
【請求項２】
前記回転速度検出部が、所定の期間内に同一方向への急加速と緩やかな減衰とからなる反復パターンを検出すると、前記制御部は、急加速と急加速の間隔の増減に応じて前記再生速度を変化させる、請求項１記載の再生速度制御装置。
【請求項３】
回転可能な操作部の回転に応じて再生速度を制御する再生速度制御方法であって、
前記操作部の回転速度を検出する回転速度検出ステップと、
前記回転速度検出ステップによって検出された回転速度に応じて再生速度を制御する制御ステップと、を含み、
前記回転速度検出ステップにおいて、所定の期間内に同一方向への急加速と緩やかな減衰とからなる反復パターンが検出されると、前記制御ステップは、前記再生速度を増加するステップを含み、前記回転速度検出ステップにおいて、所定の期間内に同一方向への急加速と緩やかな減衰とからなる反復パターンが検出されなくなると、前記制御ステップは、前記再生速度を通常の再生速度に戻すステップを含む、再生速度制御方法。
【請求項４】
前記回転速度検出ステップにおいて、所定の期間内に同一方向への急加速と緩やかな減衰とからなる反復パターンが検出されると、前記制御ステップは、急加速と急加速の間隔の増減に応じて前記再生速度を変化させるステップを含む、請求項３記載の再生速度制御方法。
【請求項５】
回転可能な操作部の回転に応じて動作速度を制御する動作速度制御装置であって、
前記操作部の回転速度を検出する回転速度検出部と、
前記回転速度検出部によって検出された回転速度に応じて動作速度を制御する制御部と、を含み、
前記制御部は、前記回転速度検出部が所定の期間内に同一方向への急加速と緩やかな減衰とからなる反復パターンを検出すると、前記再生速度を増加し、前記回転速度検出部が所定の期間内に前記同一方向への急加速と緩やかな減衰とからなる反復パターンを検出しなくなると、前記再生速度を通常の再生速度に戻す、動作速度制御装置。
【発明の詳細な説明】
【技術分野】
【０００１】
本発明は、操作部の回転速度に応じて、収録した映像データ又は音声データの再生速度を制御する再生速度制御装置及び再生速度制御方法に関する。
【背景技術】
【０００２】
収録した映像データ又は音声データを再生して、映像や音声を見たり聞いたりしながら必要とする映像又は音声の再生位置を探し出す際、映像データや音声データの再生位置を制御するために操作するコントローラのインターフェースとして、ジョグ・ダイヤルがよく使われている（例えば、特許文献１参照）。ジョグ・ダイヤルは、回転操作型の操作部であるダイヤルを回転した回転位置に応じて再生位置を移動するようになっている。ジョグ・ダイヤルは直感的に操作しやすいインターフェースであり、対象とする映像又は音声の再生位置が現在再生している位置に時間的に近い場合には便利であるが、対象とする映像又は音声の再生位置が現在再生している位置から時間的に遠い場合には、回転操作をしばらく継続する必要があるため、不向きであった。
【０００３】
そこで従来のジョグ・ダイヤルの多くは、ジョグ・ダイヤルを回転した回転速度だけ再生位置を変化させる通常の「ジョグ・モード」の他に、ジョグ・ダイヤルをひねった角度に応じて再生速度を変化させる「シャトル・モード」を設けて、対象とする映像又は音声の再生位置が現在再生している位置から時間的に遠い場合には、シャトル・モードに切り替えてダイヤルを回転させることによって、再生速度を高速に変化させるようになっている。
【０００４】
しかし、このような従来のジョグ・ダイヤルではシャトル・モードであるときに、誤ってジョグ・モードのつもりでジョグ・ダイヤルを操作すると、再生速度が大幅に加速して、対象の位置から大きくずれてしまい、戻すのに余計な手間がかかってしまうという問題がある。これは特にスポーツ中継等でのリプレイ準備などのように時間が限られている場合には致命的である。
【０００５】
これ以外にも、ジョグ・モードと異なり、シャトル・モードの場合は映像を発見してから再生を停止するまでの間にダイヤルを回転させて停止位置に合わせるか、又は停止用ボタンを押す必要があるため、再生を停止させるまでの間に再生位置が余分に移動してしまうという問題がある。
【０００６】
ジョグ・ダイヤルの外側にシャトル動作用の環（リング）を設けて両方の機能に同時にアクセスできる製品もあるが、この環（リング）のためにジョグ・ダイヤルの外側を持てなくなりジョグ・ダイヤルへの手の置き方が制限されてしまうという問題点もある。ジョグ・ダイヤルの回転量と速度の関係をボタンで切り替えられるようになっている製品もあるが、これはボタン切り替えに手間がかかってしまう。
【０００７】
ジョグ・ダイヤルを回転し続けることで加速するものもある（例えば、特許文献２参照）。しかし、一定速度で下見再生しようとしている場合に意図しない加速がなされてしまうことがあり、かえって不便な場合がある。
【特許文献１】特開平１０−９２０５７号公報
【特許文献２】特開平６−１５０４６９号公報
【発明の概要】
【発明が解決しようとする課題】
【０００８】
このようにジョグ・ダイヤルは、対象とする映像又は音声（又はその両者）の所望の再生位置が現在の再生位置に時間的に近い場合においては操作性に優れているが、対象とする映像又は音声の所望の再生位置が現在の再生位置から時間的に離れている場合においては、ジョグ・ダイヤルの回転操作を継続するか、あるいはジョグ・ダイヤルの動作モードを手間をかけて変更するが必要があり、不便であった。
【０００９】
本発明は、上述のような従来の課題を解決するためになされたもので、対象とする映像又は音声の再生位置がいかなる場所にあったとしても、誤作動を防止しながら、ジョグ・ダイヤルの操作性・迅速性を損なうことなく、対象とする再生位置を容易に探し出すことができる再生速度制御装置及び再生速度制御方法を提供することを目的とする。
【課題を解決するための手段】
【００１０】
本発明の第１の態様によると、回転可能な操作部の回転に応じて再生速度を制御する再生速度制御装置であって、前記操作部の回転速度を検出する回転速度検出部と、前記回転速度検出部によって検出された回転速度に応じて再生速度を制御する制御部と、を含み、前記制御部は、前記回転速度検出部が検出する回転速度の反復パターンに応じて前記再生速度を増減する、再生速度制御装置を提供する。
【００１１】
操作部は、例えば、ジョグ・ダイヤルの回転部であってもよい。この構成により、本発明の再生速度制御装置は、回転速度検出部が検出する回転速度の反復パターンに応じて再生速度を増減できるので、オペレータは、対象とする映像又は音声の再生位置が現在の再生位置から遠い場合には、回転速度が所定の反復パターンと合致するように操作部を操作することによって、高速で再生を行い、対象とする映像又は音声の再生位置が現在の再生位置に近い場合には、通常通りに操作部を操作して通常の再生速度で再生を行うことができるので、対象とする映像又は音声の再生位置がいかなる場所にあったとしても、すなわち、遠くであっても、近くであっても、再生速度制御装置、例えば、ジョグ・ダイヤルの優れた操作性を損なうことなく、対象とする再生位置を容易に探し出すことができる。また、指や手を再生速度制御装置、例えば、ジョグ・ダイヤルから離す必要がないために操作性が向上し、しかも、特定の反復パターンで操作しなければ、再生速度は増加しないので、誤作動を防止することができる。
【００１２】
さらに、上述の再生速度制御装置において、前記回転速度検出部が、所定の期間内に同一方向への急加速と緩やかな減衰とからなる反復パターンを検出すると、前記制御部は、前記再生速度を段階的に増加するようにしてもよい。操作部が、例えば、ジョグ・ダイヤルの回転部であると想定し、このジョグ・ダイヤルの回転部に対して指ではじくなどして一定方向に力を加えた後に放置する操作（「はじく操作」と呼ぶ）を行ったとする。回転部は回転する力が加わった時に回転速度を加速するが、放置されても慣性力が働くために同一の方向に暫く回転を続け、直ちに停止することはない。しかし、操作部の回転軸と筐体との摩擦力等の作用により、操作部の回転速度は、その後、減速していく。これは一例に過ぎないが、このような操作を繰り返すと容易に回転速度の反復パターンを生成できる。本発明の再生速度制御装置は、回転速度が検出する反復パターンが、同一方向への急加速と緩やかな減衰とからなる反復パターンであると、制御部は、再生速度を増加するようにできるので、オペレータは、対象とする映像又は音声の再生位置が現在の再生位置から時間的に遠い場合には、操作部を、同一方向に急加速した後、放置するという簡単な操作を繰り返すだけで、所望の高速度で再生を行うことができる。
【００１３】
さらに、上述の再生速度制御装置において、前記回転速度検出部が、同一方向への急加速と緩やかな減衰とからなる反復パターンを検出すると、前記制御部は、急加速と急加速の間隔の増減に応じて前記再生速度を変化させるようにしてもよい。この構成により、オペレータは、同一方向に急加速した後、放置するという簡単な操作の繰り返しに加えて、急加速と急加速の間隔を増減させるだけで、高速再生時の再生速度をさらに変化させることができるので、再生速度制御装置、例えば、ジョグ・ダイヤルの操作性を一層高めている。
【００１４】
さらに、上述の再生速度制御装置において、前記回転速度検出部が、前記同一方向への急加速と緩やかな減衰とからなる反復パターンを検出しなくなると、前記制御部は、前記再生速度を通常の再生速度に戻すようにしてもよい。この構成により、オペレータは、同一方向に急加速した後、放置するという操作をやめるという簡単な動作で、高速再生から通常再生に切り替えることができるので、再生速度制御装置、例えば、ジョグ・ダイヤルの操作性を一層高めている。
【００１５】
本発明の第２の態様によると、回転可能な操作部の回転に応じて再生速度を制御する再生速度制御方法であって、前記操作部の回転速度を検出する回転速度検出ステップと、
前記回転速度検出ステップによって検出された回転速度に応じて再生速度を制御する制御ステップと、を含み、前記制御ステップは、前記回転速度検出ステップが検出する回転速度の反復パターンに応じて前記再生速度を増減するステップを含む、再生速度制御方法を提供する。
【００１６】
操作の対象は、例えば、ジョグ・ダイヤルの回転部であってもよい。この構成により、本発明の再生速度制御方法は、回転速度検出ステップで検出される回転速度の反復パターンに応じて再生速度を増減できるので、オペレータは、対象とする映像又は音声の再生位置が現在の再生位置から遠い場合には、回転速度が所定の反復パターンと合致するように操作することによって、高速で再生を行い、対象とする映像又は音声の再生位置が現在の再生位置に近い場合には、通常に操作して通常の再生速度で再生を行うことができるので、対象とする映像又は音声の再生位置がいかなる場所にあったとしても、再生速度制御装置、例えば、ジョグ・ダイヤルの操作性を損なうことなく、対象とする再生位置を容易に探し出すことができる。また、指を再生速度制御装置、例えば、ジョグ・ダイヤルから離す必要がないために操作性が向上し、しかも、特定の反復パターンで操作しなければ、再生速度は増加しないので、誤作動を防止することができる。  
【００１７】
本発明の第３の態様によると、回転可能な操作部の回転に応じて動作速度を制御する動作速度制御装置であって、前記操作部の回転速度を検出する回転速度検出部と、前記回転速度検出部によって検出された回転速度に応じて動作速度を制御する制御部と、を含み、前記制御部は、前記回転速度検出部が検出する回転速度の反復パターンに応じて前記動作速度を増減する、動作速度制御装置を提供する。
【００１８】
上述の構成によって、動作速度制御装置、例えば、ジョグ・ダイヤルの操作性を損なうことなく、対象とする微妙な動作を制御することができる。また、指を動作速度制御装置、例えば、ジョグ・ダイヤルから離す必要がないために操作性が向上し、しかも、特定の反復パターンで操作しなければ、動作速度は増加しないので、誤作動を防止することができる。  
【発明の効果】
【００１９】
本発明によれば、対象とする映像又は音声の再生位置が現在の位置から相対的にいかなる場所にあったとしても、誤作動を防止しながら、ジョグ・ダイヤルの操作性を損なうことなく、対象とする再生位置を容易に且つ短時間で探し出すことができる再生速度制御装置及び再生速度制御方法が提供できる。
【発明を実施するための形態】
【００２０】
以下、本発明の具体的な実施の形態について、図面を参照して詳細に説明する。
【００２１】
図１は、本発明の一実施の形態の再生速度制御装置を含む情報処理システムの概略図である。この情報システムは、例えば、動画編集記憶システムに相当し、再生速度制御装置は動画編集装置として構成してもよい。図１に示すように、情報処理システム１００は、画像サーバ１０１と、再生速度制御装置１１１と、キーボード１１２と、マウス１１３と、カメラ１２１〜１２３と、カメラ・モニタ１３１〜１３３と、デコーダ・モニタ１３４と、システム・モニタ１３５等からなる。情報処理システム１００の各構成要素は、例えば、画像サーバ１０１と再生速度制御装置１１１とを接続するＬＡＮ（Ｌｏｃａｌ  Ａｒｅａ  Ｎｅｔｗｏｒｋ）１４１、画像サーバ１０１とカメラ１２１〜１２３とを接続する同軸ケーブル１２４、画像サーバ１０１とカメラ・モニタ１３１〜１３３とを接続する同軸ケーブル１３６、画像サーバ１０１とデコーダ・モニタ１３４とを接続するＶＧＡ（Ｖｉｄｅｏ  Ｇｒａｐｈｉｃｓ  Ａｒｒａｙ）ケーブル１３８、再生速度制御装置１１１とシステム・モニタ１３５とを接続するＶＧＡケーブル１３７、及び画像サーバ１０１と送出器１４０とを接続する同軸ケーブル１３９等を用いて接続されている。但し、これらの接続形式に限定されるものではない。
【００２２】
画像サーバ１０１は、例えば３台のカメラ、カメラ１２１〜１２３より受信した動画信号を符号化して、動画データとして記憶する。また、画像サーバ１０１は、この動画データを動画信号に復号して、動画信号をデコーダ・モニタ１３４に送信する。デコーダ・モニタ１３４は画像サーバ１０１から送信された動画信号に基づいて動画を表示する。カメラ・モニタ１３１〜１３３は、カメラ１２１〜１２３が撮影した動画等を表示する。さらに、画像サーバ１０１は、動画信号を、例えば、実際の放送のための送出器１４０に送信する。
【００２３】
再生速度制御装置１１１は、画像サーバ１０１との間で、ＬＡＮ１４１を介して信号を送受信し、画像サーバ１０１から送られる信号及びオペレータの入力に応じてディスプレイ（図２に示す。）にシステム・ユーザ・インターフェースを表示する。さらに、再生速度制御装置１１１は再生速度制御装置１１１自体やキーボード１１２、マウス１１３によって入力されるオペレータの要求を信号に変換し、画像サーバ１０１等に送信する。また、再生速度制御装置１１１は、システム・モニタ１３５にＶＧＡケーブル１３７を介してユーザ・インターフェース等を表示するための信号を送信する。
【００２４】
カメラ１２１〜１２３は、対象物を撮影して所定の形式の動画信号として出力し、画像サーバ１０１に同軸ケーブル１２４を介して送信する。ここで、カメラ１２１〜１２３は、同一の対象物を異なるアングルで撮影してもよいし、また、それぞれ画角の異なるレンズを用いて撮影してもよく、通常のカメラと高速度撮影が可能なカメラを混在して用いてもよい。さらに、カメラ１２１〜１２３が異なる対象物を撮影してもよいし、カメラとマイクがペアになっている場合も多い。
【００２５】
図２は、本実施の形態の情報処理システムのブロック図である。図２を図１と合わせて参照すると、情報処理システム１００は、画像サーバ１０１と、再生速度制御装置１１１と、キーボード１１２と、マウス１１３と、システム・モニタ１３５と、デコーダ・モニタ１３４等から構成される。なお、画像サーバ１０１と再生速度制御装置１１１は分離して構成されているが、一体として構成してもよい。
【００２６】
画像サーバ１０１は、入力部２０１と、エンコーダ２１１〜２１３と、デコーダ２４１と、出力部２５１と、ハードディスク・ドライブ２６１と、ＣＰＵ２７１と、メモリ２８１等から構成され、これらの構成要素はそれぞれバスを介して通信可能に接続される。
【００２７】
入力部２０１は、カメラ１２１〜１２３からの動画信号を受信する。なお、入力される動画信号は、例えば、ビデオ・テープ・レコーダ（ＶＴＲ）や光ディスク装置のような映像記録装置に記録されている動画信号でもよい。入力部２０１は、外部で符号化された動画データを受信してもよいし、符号化されていない動画データを受信してもよい。
【００２８】
エンコーダ２１１〜２１３は、入力部２０１より送られた動画信号を必要に応じて符号化して、時間情報を含む符号化された動画データとする。また、エンコーダ２１１〜２１３は、ハードディスク・ドライブ２６１に記憶された動画信号を読み出して符号化してもよい。
【００２９】
デコーダ２４１は、符号化された動画データをハードディスク・ドライブ２６１から読み出し、復号して動画信号を出力部２５１等に送出する。デコーダ２４１とハードディスク・ドライブ２６１は本発明の再生部を構成する。
【００３０】
出力部２５１は、デコーダ２４１から復号された動画信号を受け取り、デコーダ・モニタ１３４及び送出器１４０に出力する。なお、出力部２５１はこれに接続された機器に応じた形式の動画信号を出力する。例えば、出力部２５１からデコーダ・モニタ１３４へは例えばＶＧＡ信号が出力され、出力部２５１から送出器１４０には例えばＨＤ−ＳＤＩ信号が出力される。また、出力部２５１は、入力部２０１及びハードディスク・ドライブ（ＨＤＤ）２６１から読み出した動画信号又は符号化された動画データを受け取り、出力してもよく、エンコーダ２１１〜２１３から符号化された動画データを受け取って出力してもよい。
【００３１】
ハードディスク・ドライブ（ＨＤＤ）２６１は、ＣＰＵ２７１上で実行されるプログラムと、エンコーダ２１１〜２１３より送られた符号化された動画データ等を記憶する。また、入力部２０１から送られた動画信号を直接記憶してもよい。また、ハードディスク・ドライブ２６１は、画像サーバ１０１の内部あるいは外部のいずれか、又は両方に設けられてもよい。さらに、本実施形態では例示として、ハードディスク・ドライブ２６１として説明するが、動画データ又は動画信号を記憶できるのであれば、ハードディスク・ドライブ以外の記憶装置、例えば、テープドライブ、光ディスクドライブあるいは半導体メモリ等の大容量メモリでもよく、あるいはこれらの組合せを用いてもよい。
【００３２】
ＣＰＵ２７１は、メモリ２８１に格納されたプログラムを読み込み、各種処理を行う。ＣＰＵ２７１が実行するプログラムには、例えば、動画データの編集や再生を行うアプリケーションや、バスに接続される機器をコントロールするためのＯＳ（Ｏｐｅｒａｔｉｎｇ  Ｓｙｓｔｅｍ）等が含まれる。
【００３３】
メモリ２８１は、ハードディスク・ドライブ（ＨＤＤ）２６１から読み出したプログラムを格納する。プログラムには、例えば、再生速度制御装置１１１の入出力に応答して、動画データの編集や再生を行うアプリケーションや、バスに接続される機器をコントロールするためのＯＳ等が含まれる。また、バスに接続された機器からの動画信号及び動画データを格納してもよい。
【００３４】
デコーダ・モニタ１３４は出力部２５１に接続され、出力部２５１から送られた動画信号、例えばＶＧＡ信号により動画を表示する。デコーダ・モニタ１３４は、後述する再生速度を制御した動画の再生や放送等のための再生において出力される動画信号の内容をモニタする際に使用されるが必ずしも再生速度制御装置１１１の構成としては必須ではない。例えば、システム・モニタ１３５が、デコーダ２４１から復号された動画信号を受け取り、デコーダ・モニタ１３４に表示されるものと同様の動画を表示するようにして、オペレータがシステム・モニタ１３５を見ながら再生速度制御装置１１１を操作して、この動画の再生速度を制御するようにしてもよい。
【００３５】
また、再生速度制御装置１１１は、制御部２９１と、タッチ・パネルなどの内蔵ディスプレイ２１０と、ボタン群２２０と、Ｔバー２３０と、ジョグ・ダイヤル１５とから構成されるが、ディスプレイ２１０、ボタン群２２０、Ｔバー２３０等は必須ではない。
【００３６】
制御部２９１は、ＣＰＵ２５０とメモリ２６０を有する。制御部２９１は、画像サーバ１０１と信号を送受信し、ディスプレイ２１０及びオプションのシステム・モニタ１３５にユーザ・インターフェース等を表示するための信号を送信し、ボタン群２２０、Ｔバー２３０、ジョグ・ダイヤル１５、キーボード１１２及びマウス１１３を介して入力された入力データや要求コマンドを画像サーバ１０１に送信する。ボタン群２２０の各ボタンは、押下することによってスイッチがオン・オフされ、それに連動して各ボタンが異なる色に発光するようにしてもよい。
【００３７】
図３は、再生速度制御装置１１１の外形の斜視図である。図３を図２と合わせて参照すると、再生速度制御装置１１１は、上部にディスプレイ２１０と、ディスプレイ２１０の下側の中央に縦・横に配列されたボタン群２２０と、左下部にオペレータが前後方向に傾けて操作するＴバー２３０と、右下部にオペレータが水平に回転させて操作するジョグ・ダイヤル１５とが設けられている。図３に示した各構成要素の再生速度制御装置１１１上の配置は例示であって、これに限定されるものではない。
【００３８】
ディスプレイ２１０は、画像サーバ１０１から送られる信号及びオペレータの入力に応じてユーザ・インターフェースを表示する。また、ディスプレイ２１０は、オペレータによる表示面へのタッチ動作及び表示面上においてタッチされた位置を検知可能なタッチ・パネル・ディスプレイであってもよく、そのタッチ・パネルによってデータの入力や要求コマンドを入力可能としてもよい。
【００３９】
ボタン群２２０は、オペレータによる押下に応じて信号を画像サーバ１０１に送信する。例えば、選択ボタン２２０Ａ〜２２０Ｃは、それぞれカメラ１２１〜１２３により撮影した画像データを再生するために選択するためのボタンである。オペレータが選択ボタン２２０Ａ〜２２０Ｃを押下することで、その押し下げた選択ボタン２２０Ａ〜２２０Ｃに対応する動画データ（例えば、後述するクリップＡ〜クリップＣ）が選択され、再生操作により復号器によりその動画データが復号され、デコーダ・モニタ１３４に表示され、あるいは外部に送出される。
【００４０】
Ｔバー２３０は、オペレータのＴバー２３０を基準の角度から前後方向に傾ける操作によって傾いたＴバー２３０の傾き角度に応じた信号を画像サーバ１０１に送信し、Ｔバー２３０の傾き角度に応じて、再生される動画、すなわち、デコーダ・モニタ１３４に表示される動画の再生速度を調整できる。
【００４１】
ジョグ・ダイヤル１５は、オペレータのジョグ・ダイヤル表面に対して水平に回転させる操作によって回転したジョグ・ダイヤル１５の回転速度及び回転速度の反復パターンに応じて信号を画像サーバ１０１に送信する。例えば、回転速度が速くなればなるほど動画の再生速度（デコーダ・モニタ１３４又はシステム・モニタ１３５に表示される動画の再生速度）が速くなり、回転を停止すると再生が停止する。また、ジョグ・ダイヤル１５を時計方向Ａに回すと順方向再生となり、反時計方向Ｂに回すと逆方向再生となる。次に、ジョグ・ダイヤル１５の回転速度の反復パターンと再生速度との関係について詳述する。
【００４２】
＜回転速度の反復パターンの生成方法について＞
図４は、ジョグ・ダイヤル１５の概略構成図である。図４に示すように、ジョグ・ダイヤル１５は、筐体（図４でＣとして示す）に対して固定された回転軸１５ａと、回転軸１５ａを中心として時計方向Ａ及び反時計方向Ｂに水平に回転可能な回転部１５ｂと、回転部１５ｂの回転速度を検出する回転速度検出部１５ｃと、を有し、ジョグ・ダイヤル１５の回転部１５ｂは、オペレータが時計方向Ａに力を加えて操作すると時計方向Ａに、反時計方向Ｂに力を加えて操作すると、回転部１５ｂは反時計方向Ｂに、回転軸１５ａを中心として水平に回転するように構成されている。回転速度検出部１５ｃは制御部２９１と電気的に接続しており、制御部２９１は回転速度検出部１５ｃと信号を送受信して、回転速度検出部１５ｃが検出した回転部１５ｂの回転速度及び回転速度の反復パターンを常時取得するようになっている。
【００４３】
例えば、ジョグ・ダイヤル１５の回転部１５ｂに複数のスリットＳを有する円盤状のスリット板（図示していない）を取り付け、回転速度検出部１５ｃを、そのスリット部分が光を透過したり遮断したりするように固定したフォト・インタラプタとして構成してもよい。フォト・インタラプタは、スリット板が光を遮断するときと透過するときとで異なるパルス性の電流、すなわち、パルス信号を発生する。制御部２９１は、このパルス信号を、予め定められた時間間隔で計数することにより、回転速度及び回転速度の反復パターンを検出することができる。また、スリット板に、互いに９０度位相が異なるように少なくとも２組のスリットＳを同心円状に形成することで、制御部２９１が、２組のパルス信号から、回転方向を特定するようにしてもよい。また、回転速度検出部１５ｃは、上記方法以外の光学的、磁気的、電気的などいずれかの方法によって回転部１５ｂの回転速度を検出してもよい。
【００４４】
また、オペレータが回転部１５ｂに対して時計方向Ａ又は反時計方向Ｂに力を加えた後放置すると、慣性力が働くために直ちに停止することはなく、回転部１５ｂは時計方向Ａ又は反時計方向Ｂに所定の時間回転を続ける。しかし、回転軸１５ａと筐体等との摩擦力の作用などにより、回転部１５ｂの回転速度は、オペレータが回転軸１５ａに対して力を加えた時には急加速するが、その後、減速していく。本発明は、この原理を利用して回転速度の反復パターンを生成及び検出するようになっている。
【００４５】
図５は、オペレータがジョグ・ダイヤル１５の回転部１５ｂに対して指ではじくなどして一定方向に力を加えた後、放置する操作（以後、ジョグ・ダイヤルを「はじく操作」と呼ぶ）を繰り返した場合に、回転速度検出部１５ｃが検出する回転部１５ｂの回転速度の反復パターンを表す。図５の縦軸は、回転速度検出部１５ｃが回転部１５ｂの回転にともなって発生する単位時間当たりのパルス信号の数を示し、横軸は経過時間を示している。図５から、Ａｃｃで示される回転部１５ｂの回転が急加速した急加速部分と、Ｄｅｃで示される回転部１５ｂの回転が緩やかに減速した減速部分が組み合わさって波形が形成されていることがわかる。
【００４６】
図６は、本発明の一実施の形態の再生速度制御装置の機能構成図である。図６を図２と合わせて参照すると、再生速度制御装置１１１は、図２〜図４に示した構成要素と関連するプログラムとが協働することで、回転速度検出部１５ｃ、制御部２９１を有する。また、画像サーバ１０１は、上述の通り、画像データを記憶した記録部（ハードディスク・ドライブ（ＨＤＤ））、デコーダ２４１を有し、再生速度制御装置１１１からの再生制御信号に応答して、対象となる動画の再生を行う。これらの各手段により、制御部２９１は、（１）動画データの通常再生機能、（２）動画データの高速再生機能を実現する。以下に、再生速度制御装置の各機能について説明する。
（１）動画データの通常再生機能
制御部２９１は、回転速度検出部１５ｃが検出した回転速度に応じて、画像サーバ１０１の再生速度を制御する。これによって、対象とする映像又は音声の再生位置が現在の再生位置に近い場合には、通常の再生速度で再生を行うことができるので、ジョグ・ダイヤル１５の直感性に優れた操作性を保ちながら容易に所望の再生位置を探し出すことができる。
（２）動画データの高速再生機能
制御部２９１は、回転速度検出部１５ｃが検出した回転速度の反復パターンに応じて前記再生速度を増加する。これによって、対象とする映像又は音声の再生位置が現在の再生位置から時間的に遠い場合には、ジョグ・ダイヤル１５の回転部１５ｂを操作するだけで高速で再生を行うことができるので、ジョグ・ダイヤル１５の直感性に優れた操作性を保ちながら容易に高速で所望の再生位置を探し出すことができる。
【００４７】
図７は、本発明の一実施の形態の再生速度制御方法のフローチャートである。図８は、本実施の形態の再生速度制御方法により生じる再生速度が増加する過程を説明する説明図であり、図９は、本実施の形態の再生速度制御方法により生じる再生速度が減少する過程を説明する説明図である。ここでは、図７〜図９の他に適宜、先の図４〜図６も参照して本実施の形態の再生速度制御方法について説明する。本実施の形態では、制御部２９１の中のメモリ２６０に加速係数と加速カウンタを記憶するものとする。ここで、「加速係数」とは、再生速度を算出する際に掛け合わせる倍速を表し、例えば、１、２、４、８、１６、３２等である。加速カウンタについては後に詳述する。
【００４８】
ステップＳ３０１で、制御部２９１は、ジョグ・ダイヤル１５に入力があったか否かを判定する。具体的には、制御部２９１は、回転速度検出部１５ｃから送信されるパルス信号に基づいて、回転部１５ｂを操作する入力があったか否かを判定する。制御部２９１は、回転速度検出部１５ｃからのパルス信号の有無のみならず、パルス信号の急激な変化もオペレータによる回転部１５ｂの操作による入力として判定する。入力があったと判定した場合はステップＳ３０２に進み、入力がないと判定した場合はステップＳ３０１に戻り同ステップを繰り返す。また、Ｓ３０１においてジョグ・ダイヤルからの入力の有無を判断する際には、誤動作等を防止するための閾値を設けてもよい。
【００４９】
ステップＳ３０２で、制御部２９１は、回転部１５ｂの回転の速度の絶対値が所定の値を下回る、又は回転部１５ｂの回転方向を変える操作による入力があったか否かを判定する。具体的には、制御部２９１は、回転速度検出部１５ｃからのパルス信号に基づいて、回転部１５ｂの回転の速度の絶対値が所定の値を下回る、又は回転部１５ｂの回転方向を変える操作があったか否かを判定する。回転部１５ｂの回転の速度の絶対値が所定の値を下回る、又は回転部１５ｂの回転方向を変える操作による入力がないと判定された場合は、ステップＳ３０３に進む。回転部１５ｂの回転の速度の絶対値が所定の値を下回る、又は回転部１５ｂの回転方向を変える操作による入力があったと判定された場合には、ステップＳ３１１に進む。
【００５０】
ステップＳ３０３で、制御部２９１は、回転部１５ｂの回転の加速度が所定の閾値（加速度の閾値）を超えているか否かを判定する。具体的には、制御部２９１は、回転速度検出部１５ｃからのパルス信号に基づいて、回転部１５ｂの回転の加速度を算出し、算出した加速度が所定の閾値を超えたか否かを判定する。この閾値として、例えば、図５でＡｃｃで示した、はじく操作によって発生しうる急加速の勾配を用いてもよい。制御部２９１は、回転部１５ｂの回転の加速度が所定の閾値を超えていないと判定した場合には、ステップＳ３０４に進み、回転部１５ｂの回転の加速度が所定の閾値を超えていると判定した場合には、ステップＳ３０５に進む。
【００５１】
ステップＳ３０５では、制御部２９１は、メモリ２６０の加速カウンタに１を加算する。
【００５２】
ステップＳ３０９で、制御部２９１は、加速カウンタが所定の閾値を超えたか否かを判定する。制御部２９１は、加速カウンタが所定の閾値（加速カウンタの閾値）を超えたと判定した場合は、ステップＳ３１０に進み、加速カウンタが所定の閾値を超えていないと判定した場合は、ステップＳ３０６に進む。ステップＳ３１０で、制御部２９１は、加速係数に定数を掛け合わせる。本実施の形態では、後に詳述するが、加速カウンタの閾値を３とし、加速係数に掛け合わせる定数を２としている。
【００５３】
ステップＳ３０４では、制御部２９１は、回転部１５ｂの回転の加速度が一定期間下回っていたか否かを判定する。具体的には、制御部２９１は、回転速度検出部１５ｃからのパルス信号に基づいて、回転部１５ｂの回転の加速度を算出し、算出した加速度が所定の閾値を一定期間、本実施の形態では、図８又は図９でＴ１、Ｔ２、Ｔ３、Ｔ４、Ｔ５で示される時間期間のうち３つ以上の期間以上わたって下回っていたか否かを判定する。下回っていないと判定した場合は、ステップＳ３０６に進み、下回っていたと判定した場合はステップＳ３０７に進む。
【００５４】
ステップＳ３０７では、制御部２９１は、メモリ２６０の加速カウンタから１を減算する。
【００５５】
ステップＳ３０８では、制御部２９１は、メモリ２６０の加速カウンタが０か否かを判定する。加速カウンタが０でないと判定した場合は、ステップＳ３０６に進み、加速カウンタが０であると判定した場合は、ステップＳ３１２に進む。
【００５６】
ステップＳ３１１では、制御部２９１は、加速カウンタをリセットする。具体的には、制御部２９１は、メモリ２６０の加速カウンタを０にする。ステップＳ３１２では、制御部２９１は、加速係数をリセットする。具体的には、制御部２９１は、メモリ２６０の加速係数を１に設定する。
【００５７】
ステップＳ３０６では、制御部２９１は、回転部１５ｂの回転速度に加速係数を乗じて再生速度を決定する。既に説明したように、加速係数とは、再生速度を算出する際に通常の再生速度に対して掛け合わせる係数であり、具体的には、通常再生の再生速度に対する倍速を表し、例えば、１、２、４、８などが好ましい。現在、メモリ２６０に記憶されている加速係数が１の場合は、通常再生の再生速度となる。また、回転部１５ｂが停止している、すなわち、回転部１５ｂの回転速度が０の場合、再生速度はゼロとなる。回転部１５ｂの回転方向が変わった場合は、通常再生の再生速度であるが、再生方向は反対となる。
【００５８】
図８は、本実施の形態の再生速度制御方法により生じる再生速度が増加する過程を説明する説明図であり、波線は図５と略同様の回転速度検出部１５ｃが検出する回転部１５ｂの回転速度の変化を示し、実線は、再生部３００の再生速度を表している。図８から、オペレータが回転部１５ｂを「はじく操作」を所定の期間内、本実施の形態では、Ｔ１、Ｔ２、Ｔ３、Ｔ４、Ｔ５で示される時間期間内に３回行う毎に、再生速度が通常再生（１ｘ）、２倍速（２ｘ）、４倍速（４ｘ）、８倍速（８ｘ）、１６倍速（１６ｘ）と、２倍ずつ増加していくことがわかる。図８では、２の倍数で再生速度が速くなるように説明したが、２倍数以外で再生速度が変化してもよい。
【００５９】
図９は、本実施の形態の再生速度制御方法により生じる再生速度が減少する過程を説明する説明図であり、波線は図５と略同様の回転速度検出部１５ｃが検出する回転部１５ｂの回転速度の変化を示し、実線は、再生部３００の再生速度を表している。図９では、オペレータが回転部１５ｂを「はじく操作」を第１の所定の期間、すなわち、Ｔ１の期間内に３回行うことにより、再生速度が２倍（２ｘ）から４倍（４ｘ）に増加したが、その後、続く３つの所定の期間、すなわち、Ｔ２、Ｔ３、Ｔ４において「はじく操作」が検出されなかったため、Ｔ４経過後に再生速度が通常再生の速度（１ｘ）に戻ったことがわかる。
【００６０】
図９で説明した動作によって、必要に応じて画像の再生を速やかに停止することができる。
【００６１】
例えば、図７のステップＳ３０８において、加速カウンタが０と判定された場合、ステップＳ３１２において、加速係数を１にリセットするとしたが、加速係数を、例えば、２で除算して８倍から４倍、４倍から２倍、２倍から１倍とするなど、段階的に減じるようにしてもよい。
【００６２】
また、ステップＳ３０３において、回転部１５ｂの回転の加速度が所定の閾値を超えていると判定された場合、ステップＳ３０５において、加速カウンタに１を加算し、ステップＳ３０９において、加速カウンタが所定の閾値、例えば、３を超えた場合に再生速度を増加するとしたが、本発明はこれに限定されない。例えば、加速カウンタの閾値を２以下としてもよく、４以上としてもよい。加速カウンタの閾値を小さくすると、はじく操作が即座に再生速度の増減に影響するようになり、加速カウンタの閾値を大きくすると、はじく操作は緩やかに再生速度の増減に影響するようになる。さらに、ステップＳ３０４において判定する、回転部１５ｂの回転の加速度が所定の閾値を下回っている期間についても、様々な用途に合わせて調整可能である。ステップＳ３０４において判定する、回転部１５ｂの回転の加速度が所定の閾値を下回っている期間を短くすると、はじく操作の後に再生速度が通常の速度に戻る期間が短くなり、回転部１５ｂの回転の加速度が所定の閾値を下回っている期間を長くすると、はじく操作の後に再生速度が通常の速度に戻る期間を長くすることができる。
【００６３】
さらに、本発明の再生速度制御装置は、動画編集用のジョグ・ダイヤルのほか、ゲーム機、携帯電話、携帯情報端末（ＰＤＡ）、メモリ・オーディオ、ゲーム機、情報家電、テレビ、カー・ナビゲーション・システム等の再生速度の調整に係わる機器のみならず、工作機械やロボットなどの動作速度の制御など、動作速度の調整に係わる機器であれば、いかなる機器にでも応用可能である。本発明を動作速度の制御に用いると、その直感性に優れた操作性から微妙な動作を制御することも可能である。回転速度検出部も、フォト・インタラプタのみならず、スイッチ、可変抵抗を用いたエンコーダなど様々な手法を用いることができることは明らかである。
【００６４】
以上説明したように、本発明の再生速度制御装置は、回転速度検出部が検出する回転速度の反復パターンに応じて再生速度を増減できるので、オペレータは、対象とする映像又は音声の再生位置が現在の再生位置から遠い場合には、回転速度が所定の反復パターンと合致するように操作部を操作することによって、高速で再生を行い、対象とする映像又は音声の再生位置が現在の再生位置に近い場合には、通常に操作部を操作して通常の再生速度で再生を行うことができるので、対象とする映像又は音声の再生位置がいかなる場所にあったとしても、再生速度制御装置、例えば、ジョグ・ダイヤルの操作性を損なうことなく、対象とする再生位置を容易に探し出すことができる。また、指を再生速度制御装置、例えば、ジョグ・ダイヤルから離す必要がないために操作性が向上し、しかも、特定の反復パターンで操作しなければ、再生速度は増加しないので、誤作動を防止することができる。
【００６５】
以上、本発明の一実施の形態について説明したが、本発明は上述した実施形態に限定されるものではない。また、本実施の形態に記載された効果は、本発明から生じる最も好適な効果を列挙したものに過ぎず、本発明による効果は、本発明の実施例に記載されたものに限定されるものではない。
【図面の簡単な説明】
【００６６】
【図１】本発明の一実施の形態の再生速度制御装置を含む情報処理システムの概略図である。
【図２】本発明の一実施の形態の再生速度制御装置のブロック図である。
【図３】本発明の一実施の形態の再生速度制御装置の斜視図である。
【図４】図３の再生速度制御装置を構成するジョグ・ダイヤルの概略構成図である。
【図５】図４のジョグ・ダイヤルに「はじく操作」を行った場合に生成される反復パターンを表す波形のグラフである。
【図６】本発明の一実施の形態の再生速度制御装置の機能構成図である。
【図７】本発明の一実施の形態の再生速度制御方法のフローチャートである。
【図８】図７の再生速度制御方法により生じる再生速度が増加する過程を説明する図である。
【図９】図７の再生速度制御方法により生じる再生速度が減少する過程を説明する図である。
【符号の説明】
【００６７】
１１１          再生速度制御装置
１５            ジョグ・ダイヤル
１５ａ          回転軸
１５ｂ          回転部
１５ｃ          回転速度検出部
１００          情報処理システム
１０１          画像サーバ
１１２          キーボード
１１３          マウス
１３５          システム・モニタ
２４１          デコーダ
２６０          メモリ
２６１          記録部（ハードディスク・ドライブ）
２９１          制御部
３００          再生部
【図１】
0005547732.tif 000002
【図２】
0005547732.tif 000003
【図３】
0005547732.tif 000004
【図４】
0005547732.tif 000005
【図５】
0005547732.tif 000006
【図６】
0005547732.tif 000007
【図７】
0005547732.tif 000008
【図８】
0005547732.tif 000009
【図９】
0005547732.tif 000010